(57)【要約】【課題】消費電力測定器（タップ）と家電機器との対応づけを容易とすることでユーザの利便性を高めるための技術を提供する。【解決手段】表示装置３０は、タップ２０から、タップ２０に接続される家電機器５の消費電力の測定結果を取得する。表示装置３０は、タップ２０と、タップ２０に接続される家電機器５との対応関係の設定を示すタップ接続設定情報１００と、機器の種類ごとの電力消費パターンを示す電力消費パターン情報１２０をメモリ３１に記憶する。表示装置３０は、タップ２０との接続が設定されている機器に応じた電力消費パターンを読み出してタップ２０の測定結果と比較し、比較結果に基づいて、タップ接続設定情報１００に示されるタップ２０と、接続機器との対応づけが適正であるか否かを判定する。表示装置３０は、適正でないと判定される場合に、判定結果をディスプレイ３８に表示する。【選択図】図８
2014055894.tif 000002
【特許請求の範囲】
【請求項１】
１以上の機器の電力使用状況を表示する表示装置であって、
機器に接続され、当該機器の消費電力に関する情報を測定する１以上の消費電力測定器の測定結果を取得する取得部と、
前記消費電力測定器と、前記消費電力測定器に接続される機器との対応関係の設定を示す接続設定リスト、および、機器の種類ごとの電力消費パターンを示すパターン情報を記憶する記憶部と、
前記接続設定リストおよび前記パターン情報に基づいて、前記接続設定リストに設定される機器に応じたパターン情報を読み出し、読み出したパターン情報と、前記取得部が取得した測定結果とを比較し、比較結果に基づいて、前記接続設定リストに示される前記消費電力測定器と、前記機器との対応づけが適正であるか否かを判定する判定部と、
前記判定部によって前記対応づけが適正でないと判定される場合に、判定結果をモニタに表示する表示制御部とを含む、
表示装置。
【請求項２】
前記記憶部は、機器の使用頻度の設定を時間帯ごとに対応づけて前記パターン情報として記憶し、
前記判定部は、前記パターン情報に示される機器の使用頻度の設定と、前記取得部が取得した測定結果とをそれぞれの時間帯で比較し、各時間帯での比較結果に基づいて、前記接続設定リストに設定される前記消費電力測定器と前記機器との対応づけが適正であるか否かを判定する、
請求項１記載の表示装置。
【請求項３】
前記判定部は、
前記パターン情報に示される機器の使用頻度の設定と、前記取得部が取得した測定結果とをそれぞれの時間帯で比較し、一定期間の比較により得られる比較結果において、前記パターン情報に示される使用頻度と、前記測定結果とが一致する時間帯の割合が所定の閾値以上である場合は、前記接続設定リストに設定される前記対応づけが適正であると判定し、
前記使用頻度と前記測定結果とが一致する割合が所定の閾値以下である場合、前記対応づけが適正でないと判定する、
請求項２記載の表示装置。
【請求項４】
前記判定部は、予め設定された時間間隔ごとに前記判定を実行する、
請求項２または３に記載の表示装置。
【請求項５】
前記記憶部は、機器の種類ごとに、消費電力量の閾値を前記パターン情報として記憶しており、
前記判定部は、前記取得部が取得した測定結果に示される消費電力量が、前記パターン情報に記憶される消費電力量の閾値を超える場合、前記接続設定リストにおける前記消費電力測定器と前記機器との対応づけが適正でないと判定する、
請求項１記載の表示装置。
【請求項６】
前記表示装置は、ユーザの操作を受け付ける操作部をさらに含み、
前記操作部は、前記パターン情報に示される電力消費パターンの編集操作をユーザから受け付ける、
請求項１に記載の表示装置。
【請求項７】
前記判定部は、前記接続設定リストにおける前記消費電力測定器と前記機器との対応づけが適正でないと判定された消費電力測定器について、前記取得部が取得する測定結果を、前記パターン情報に示される各機器の電力消費パターンと比較し、比較結果に基づいて、前記対応づけが適正な機器の候補を抽出する抽出部を含み、
前記表示制御部は、前記抽出部が抽出した機器の候補をモニタに表示する、
請求項１記載の表示装置。
【請求項８】
１以上の機器の電力使用状況を表示装置が表示する方法であって、
前記表示装置は、消費電力測定器と、前記消費電力測定器に接続される機器との対応関係の設定を示す接続設定リスト、および、機器の種類ごとの電力消費パターンを示すパターン情報をメモリに記憶しており、
前記消費電力測定器は、機器に接続され、当該機器の消費電力に関する情報を測定し、
前記方法は、
前記消費電力測定器の測定結果を取得するステップと、
前記接続設定リストおよび前記パターン情報に基づいて、前記接続設定リストに設定される機器に応じたパターン情報を読み出し、読みだしたパターン情報と、前記取得した測定結果とを比較し、比較結果に基づいて、前記接続設定リストに示される前記消費電力測定器と、前記機器との対応づけが適正であるか否かを判定するステップと、
前記判定によって前記対応づけが適正でないと判定される場合に、判定結果をモニタに表示するステップとを含む、
方法。
【請求項９】
１以上の機器の電力使用状況を表示する表示装置の動作を制御するためのプログラムであって、
前記表示装置は、プロセッサと、メモリと、モニタとを含み、
前記メモリは、消費電力測定器と、前記消費電力測定器に接続される機器との対応関係の設定を示す接続設定リスト、および、機器の種類ごとの電力消費パターンを示すパターン情報を前記メモリに記憶しており、
前記消費電力測定器は、機器に接続され、当該機器の消費電力に関する情報を測定するように構成されており、
前記プログラムは、前記プロセッサに、
１以上の消費電力測定器の測定結果を取得するステップと、
前記接続設定リストおよび前記パターン情報に基づいて、前記接続設定リストに設定される機器に応じたパターン情報を読み出し、読み出したパターン情報と、前記取得した測定結果とを比較し、比較結果に基づいて、前記接続設定リストに示される前記消費電力測定器と、前記機器との対応づけが適正であるか否かを判定するステップと、
前記判定によって前記対応づけが適正でないと判定される場合に、判定結果を前記モニタに表示するステップとを実行させる、
プログラム。
【発明の詳細な説明】
【技術分野】
【０００１】
本発明は、各機器の電力使用状況を表示する表示装置に関し、特に、ユーザの操作の利便性を向上させるための技術に関する。
【背景技術】
【０００２】
近年、家庭内の様々な機器が消費する消費電力や消費電力量を管理するため、各機器をネットワークで接続し、各機器の消費電力等を表示装置で視覚的に表示する技術が開発されている。例えば、特開２０１１−２２１５６号公報（特許文献１）は、機器状態検知装置が、給電線につながる機器の稼働状態を高い精度で検出する技術を開示する。これにより、ユーザは、各機器の電力使用状況を把握することができ、節電など電力の使用を容易に管理することができる。
【０００３】
このように、各機器の電力使用状況をユーザが管理するためのシステムは、例えば、複数の消費電力測定器（以下、「タップ」とも言う）と、制御装置と、表示装置とから構成される。各タップは、コンセントに接続されるとともに、このタップに接続される機器の消費電力に関する情報などを測定する。各タップは、タップに接続される機器の消費電力などの電力情報を、制御装置へ送信する。制御装置は、これら複数のタップから、各タップの消費電力に関する情報の測定結果を受信する。表示装置は、制御装置と通信することで、各タップと接続される機器の電力使用状況を、逐次、取得し、取得した電力使用状況を、例えばタップに接続される機器ごとに表示する。
【０００４】
ユーザは、このような構成を備えるシステムを利用することで、各タップに接続される機器の電力使用状況を容易に確認することができる。例えば、ユーザは、節電を意図した場合に、各タップに接続される機器のいずれの使用を制限すると節電効果が高いか、容易に把握することができる。
【先行技術文献】
【特許文献】
【０００５】
【特許文献１】特開２０１１−２２１５６号公報
【発明の概要】
【発明が解決しようとする課題】
【０００６】
このようなシステムにおいて、ユーザは、家電機器の電力使用状況を把握するため、どのタップにどの家電機器が対応しているかを設定する必要がある。しかし、ユーザが手動でタップと家電機器とを対応づける操作をする場合、タップと家電機器の数が増えるにつれて、より手間がかかることとなる。また、ユーザが、タップと家電機器との対応関係を誤って設定するおそれがある。このように、タップと家電機器との対応づけを容易に設定可能とすることで、ユーザの利便性を向上させる技術が必要とされている。
【課題を解決するための手段】
【０００７】
一実施形態に従う表示装置は、１以上の機器の電力使用状況を表示する。表示装置は、機器に接続され、機器の消費電力に関する情報を測定する１以上の消費電力測定器の測定結果を取得する取得部と、消費電力測定器と、消費電力測定器に接続される機器との対応関係の設定を示す接続設定リスト、および、機器の種類ごとの電力消費パターンを示すパターン情報を記憶する記憶部と、接続設定リストおよびパターン情報に基づいて、接続設定リストに設定される機器に応じたパターン情報を読み出し、読み出したパターン情報と、取得部が取得した測定結果とを比較し、比較結果に基づいて、接続設定リストに示される消費電力測定器と、機器との対応づけが適正であるか否かを判定する判定部と、判定部によって対応づけが適正でないと判定される場合に、判定結果をモニタに表示する表示制御部とを含む。
【０００８】
好ましくは、記憶部は、機器の使用頻度の設定を時間帯ごとに対応づけてパターン情報として記憶し、判定部は、パターン情報に示される機器の使用頻度の設定と、取得部が取得した測定結果とをそれぞれの時間帯で比較し、各時間帯での比較結果に基づいて、接続設定リストに設定される消費電力測定器と機器との対応づけが適正であるか否かを判定することとしてもよい。
【０００９】
好ましくは、判定部は、パターン情報に示される機器の使用頻度の設定と、取得部が取得した測定結果とをそれぞれの時間帯で比較し、一定期間の比較により得られる比較結果において、パターン情報に示される使用頻度と、測定結果とが一致する時間帯の割合が所定の閾値以上である場合は、接続設定リストに設定される対応づけが適正であると判定し、使用頻度と測定結果とが一致する割合が所定の閾値以下である場合、対応づけが適正でないと判定することとしてもよい。
【００１０】
好ましくは、判定部は、予め設定された時間間隔ごとに判定を実行することとしてもよい。
【００１１】
好ましくは、記憶部は、機器の種類ごとに、消費電力量の閾値をパターン情報として記憶しており、判定部は、取得部が取得した測定結果に示される消費電力量が、パターン情報に記憶される消費電力量の閾値を超える場合、接続設定リストにおける消費電力測定器と機器との対応づけが適正でないと判定することとしてもよい。
【００１２】
好ましくは、表示装置は、ユーザの操作を受け付ける操作部をさらに含み、操作部は、パターン情報に示される電力消費パターンの編集操作をユーザから受け付けることとしてもよい。
【００１３】
好ましくは、判定部は、接続設定リストにおける消費電力測定器と機器との対応づけが適正でないと判定された消費電力測定器について、取得部が取得する測定結果を、パターン情報に示される各機器の電力消費パターンと比較し、比較結果に基づいて、対応づけが適正な機器の候補を抽出する抽出部を含み、表示制御部は、抽出部が抽出した機器の候補をモニタに表示することとしてもよい。
【００１４】
別の実施形態に従うと、１以上の機器の電力使用状況を表示装置が表示する方法が提供される。表示装置は、消費電力測定器と、消費電力測定器に接続される機器との対応関係の設定を示す接続設定リスト、および、機器の種類ごとの電力消費パターンを示すパターン情報をメモリに記憶しており、消費電力測定器は、機器に接続され、機器の消費電力に関する情報を測定する。この方法は、消費電力測定器の測定結果を取得するステップと、接続設定リストおよびパターン情報に基づいて、接続設定リストに設定される機器に応じたパターン情報を読み出し、読みだしたパターン情報と、取得した測定結果とを比較し、比較結果に基づいて、接続設定リストに示される消費電力測定器と、機器との対応づけが適正であるか否かを判定するステップと、判定によって対応づけが適正でないと判定される場合に、判定結果をモニタに表示するステップとを含む。
【００１５】
別の実施形態に従うと、１以上の機器の電力使用状況を表示する表示装置の動作を制御するためのプログラムが提供される。表示装置は、プロセッサと、メモリと、モニタとを含み、メモリは、消費電力測定器と、消費電力測定器に接続される機器との対応関係の設定を示す接続設定リスト、および、機器の種類ごとの電力消費パターンを示すパターン情報をメモリに記憶しており、消費電力測定器は、機器に接続され、機器の消費電力に関する情報を測定するように構成されている。このプログラムは、プロセッサに、１以上の消費電力測定器の測定結果を取得するステップと、接続設定リストおよびパターン情報に基づいて、接続設定リストに設定される機器に応じたパターン情報を読み出し、読み出したパターン情報と、取得した測定結果とを比較し、比較結果に基づいて、接続設定リストに示される消費電力測定器と、機器との対応づけが適正であるか否かを判定するステップと、判定によって対応づけが適正でないと判定される場合に、判定結果をモニタに表示するステップとを実行させる。
【発明の効果】
【００１６】
上記一実施形態によると、タップと家電機器との対応づけにおいて、ユーザの利便性を向上させることができる。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】実施の形態の表示装置を含むネットワークの構成を示す図である。
【図２】中継器１０のブロック図である。
【図３】タップ２０のハードウェア構成を示す図である。
【図４】表示装置３０のハードウェア構成を表した図である。
【図５】タップ接続設定情報１００を示す図である。
【図６】消費電力履歴情報１１０を示す図である。
【図７】電力消費パターン情報１２０を示す図である。
【図８】表示装置３０のＣＰＵ３７が、タップ接続設定情報１００に示されるタップ２０と家電機器との対応づけの設定が適正か判定する処理を示すフローチャートである。
【図９】表示装置３０が、タップと家電機器との対応づけの設定の確認をディスプレイ３８へ表示する表示例を示す図である。
【図１０】タップに接続される機器の候補をユーザに通知する処理を示すフローチャートである。
【図１１】表示装置３０が、タップに接続される機器の候補をユーザに通知するためのディスプレイ３８の表示例を示す図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜１．１  ネットワークの構成＞
図１は、実施の形態の表示装置を含むネットワークの構成を示す図である。このネットワークは、例えば家庭内に設置される各機器を通信可能に接続することで構成され、ネットワークＰと、ネットワークＱとから構成される。家庭内の各機器は、図示しない分電盤から供給される電力によって動作する。分電盤は、図示しない配電盤から供給される電力を、各部屋に配置されるコンセント９０Ａ、コンセント９０Ｂ、コンセント９０Ｃ等（以下、これらコンセント９０Ａ等を総称して、複数のコンセントを「コンセント９０」ということもある）に接続される機器へ、配線を通じて供給する。
【００２１】
ネットワークＰは、低速無線通信ネットワークを構成し、主として各家電機器の電力使用状況を収集するために各機器が接続される。本実施形態では、例えば、ネットワークＰを構成する機器は、ＩＥＥＥ（The  Institute  of  Electrical  and  Electronic  Engineers）８０２．１５．４（ＺｉｇＢｅｅ）規格に従った通信を実施する。ネットワークＰは、複数の機器によって構成されており、中継器１０と、タップ２０Ａ、２０Ｂ、２０Ｃ（以下、これら複数のタップを総称して「タップ２０」ということもある）と、タップ２０のそれぞれと接続される家電機器５Ａ、家電機器５Ｂ、家電機器５Ｃ（以下、これら複数の家電機器を総称して「家電機器５」ということもある）等を含む。
【００２２】
家電機器５のそれぞれは、電源プラグ６Ａ、電源プラグ６Ｂ、電源プラグ６Ｃ（以下、家電機器５に備わる電源プラグを総称して「電源プラグ６」ということもある）を備えており、電源プラグ６がタップ２０のソケットに差し込まれることで、家電機器５とタップ２０とが接続する。本実施形態では、家電機器５Ａは、エアーコンディショナーであり、家電機器５Ｂは、冷蔵庫であり、家電機器５Ｃは、テレビである。
【００２３】
タップ２０のそれぞれは、各々に接続される各家電機器の消費電力量（Ｗｈ）を測定する消費電力測定器であり、消費電力量の測定結果を、中継器１０へ無線通信によって送信する。図１の例では、タップ２０Ａは、家電機器５Ａ（エアーコンディショナー）の消費電力量を測定する。タップ２０は、図１で図示しないプラグを備え、コンセント９０と接続する。コンセント９０それぞれは、各々に接続される機器に、分電盤からの給電電力を供給する。タップ２０に接続される各家電機器は、タップ２０とコンセント９０とが接続することで、分電盤から給電される。
【００２４】
中継器１０は、タップ２０の動作を管理しており、タップ２０それぞれから、各家電機器の消費電力量の測定結果を受信して記憶する。中継器１０は、ネットワークＰの他に、後述するネットワークＱにも含まれており、ネットワークＱを構成する表示装置３０、パーソナルコンピュータ７０等とも通信する。この通信によって、中継器１０は、タップ２０が測定する各家電機器の消費電力量の測定結果を表示装置３０等へ送信する。
【００２５】
表示装置３０は、中継器１０から受信する各家電機器の消費電力量の測定結果に基づいて、各家電機器の電力使用状況をモニタに表示する。
【００２６】
ネットワークＱは、高速通信ネットワークを構成し、主として各家電機器の電力使用状況をユーザへ提示するために各機器が通信する。また、ネットワークＱを構成する機器は、Ｅｔｈｅｒｎｅｔ（登録商標）規格、ＷｉＦｉ（登録商標）規格、またはこれらの組み合わせに従った通信を実施する。ネットワークＱは、複数の機器によって構成されており、中継器１０と、表示装置３０と、ルータ６０と、パーソナルコンピュータ７０とを含む。
【００２７】
中継器１０は、ＨＴＴＰ（Hyper  Text  Transfer  Protocol）サーバ機能を有する。中継器１０および複数のタップ２０の各々は、低速無線通信モジュールを備え、複数のタップ２０との間で低速度の無線通信を行なう。また、中継器１０は、Ｅｔｈｅｒｎｅｔによりルータ６０に接続されている。中継器１０は、ネットワークＰとネットワークＱとのブリッジ（媒体変換装置）あるいはゲートウェイ（プロトコル変換装置）として機能する。
【００２８】
ネットワークＱにおいて、ルータ６０は、インターネットに接続されている。パーソナルコンピュータ７０は、ＥｔｈｅｒｎｅｔまたはＷｉＦｉ規格に従った通信機能を有しており、ルータ６０と接続する。パーソナルコンピュータ７０は、ブラウザ（ＨＴＴＰクライアント）が動作する一般的なパソコンである。パーソナルコンピュータ７０は、パーソナルコンピュータ７０のブラウザ（ＨＴＴＰクライアント）を経由して中継器１０のＨＴＴＰサーバと通信する。中継器１０のＨＴＴＰサーバは、設定用ＣＧＩ（Common  Gateway  Interface）プログラムを呼び出すことによって、中継器自身の設定情報を取得し、また、設定できるように構成されている。このようにして、パーソナルコンピュータ７０は、中継器１０の通信設定などを行なうことができる。ユーザは、中継器１０に備わる入力装置の機能に制約がある場合であっても、このＨＴＴＰサーバとブラウザ（ＨＴＴＰクライアント）の働きによって、複雑な設定を容易に行なうことができる。
【００２９】
表示装置３０は、ＷｉＦｉ規格に従ってルータ６０と通信接続し、ルータ６０の通信制御に従って、中継器１０と通信する。なお、表示装置３０は、Ｅｔｈｅｒｎｅｔにより、ルータ６０に接続されてもよい。
【００３０】
表示装置３０は、消費電力量に関する各種の表示を行なうことができ、例えば、各家電の消費電力量を表示する。
【００３１】
＜１．２  中継器１０の構成＞
図２〜図４を用いて、中継器１０、タップ２０、表示装置３０の詳細な構成を説明する。図２は、中継器１０のブロック図である。中継器１０は、制御部１６と、発光部１３と、高速通信インターフェイス部１４と、電源部１５と、無線ＲＦ（Radio  Frequency）内蔵通信コントローラ部１７と、アンテナ１８と、プッシュボタン１１と、スライドスイッチ１２と、図示しないリセットスイッチとを備える。
【００３２】
無線ＲＦ内蔵通信コントローラ部１７は、ネットワークＰ上に存在する通信機器との間の通信を制御する。無線ＲＦ内蔵通信コントローラ部１７は、制御部１６との間で通信するためのＵＡＲＴ（Universal  Asynchronous  Receiver  Transmitter）１７１と、ＣＰＵ（Central  Processing  Unit）１７６と、ＲＯＭ（Read  Only  Memory）１７２と、ＲＡＭ（Random  Access  Memory）１７３と、ＧＰＩＯ（General  Purpose  Input/Output）１７５と、無線ＲＦ部１７４と、を含む。なお、本実施例では、無線ＲＦ内蔵通信コントローラ部１７は、ＩＥＥＥ８０２．１５．４（ＺｉｇＢｅｅ）コーディネータとして動作するものとして説明する。無線ＲＦ内蔵通信コントローラ部１７は、アンテナ１８と接続されている。ＲＯＭ１７２と、ＲＡＭ１７３と、ＵＡＲＴ１７１と、ＧＰＩＯ１７５と、無線ＲＦ部１７４とは、それぞれ、ＣＰＵ１７６に接続されている。
【００３３】
制御部１６は、無線ＲＦ内蔵通信コントローラ部１７のＣＰＵ１７６に比べて高性能なＣＰＵを備えており、中継器１０の全体的な動作を制御する。制御部１６は、発光部１３と、高速通信インターフェイス部１４と、電源部１５と、無線ＲＦ内蔵通信コントローラ部１７と、プッシュボタン１１と、スライドスイッチ１２とに接続されている。制御部１６は、プッシュボタン１１およびスライドスイッチ１２からの入力を受け付ける。また、制御部１６は、発光部１３に発光指示を出す。
【００３４】
プッシュボタン１１とスライドスイッチ１２とは、ユーザからの操作を受け付けるための操作部材であり、中継器１０の筺体に設けられる。ユーザからの操作とは、例えば、ユーザが、タップ２０をネットワークＰに新たに参加（ジョイン）させるための操作である。この場合、中継器１０は、中継器１０とタップ２０とを対応づける（ペアリング）ために、プッシュボタン１１およびスライドスイッチ１２等でユーザの操作を受け付ける。例えば、ユーザは、スライドスイッチ１２を所定の位置にスライド操作することで、中継器１０を、タップ２０とのペアリングが許可された設定にする。その後、中継器１０は、ユーザからプッシュボタン１１による操作を受け付けることで、一定期間、タップ２０のネットワークＰへの参加を受け付ける。なお、この時、タップ２０がネットワークＰに参加可能な状態であることを示すため、中継器１０は、発光部１３を発光させる。その後、ユーザが、タップ２０をコンセント９０へ差し込むこと等で、タップ２０と中継器１０とのペアリングが行われる。
【００３５】
高速通信インターフェイス部１４は、ルータ６０との間でＥｔｈｅｒｎｅｔまたはＷｉＦｉを用いた通信を行なうための通信インターフェイスである。電源部１５は、制御部１６と無線ＲＦ内蔵通信コントローラ部１７とに電力を供給する。
【００３６】
＜１．３  タップ２０の構成＞
次に、図３を用いてタップ２０の構成を説明する。
【００３７】
図３は、タップ２０のハードウェア構成を示す図である。タップ２０は、ソケット２２と、プラグ２３と、電源部２１と、ＬＥＤ２６と、設定ボタン２７と、アンテナ２８と、電力センサ部２４と、無線ＲＦ内蔵通信コントローラ部２５と、配線２２４と、配線２２３と、シャント抵抗２２２と、配線２２１とを備える。電力センサ部２４は、ソケット２２に接続される機器の消費電力量を測定する。電力センサ部２４は、電圧入力ＡＤＣ部２４１と、電流入力ＡＤＣ部２４２と、乗算器２４３と、デジタル／周波数変換部２４４とを含む。無線ＲＦ内蔵通信コントローラ部２５は、ＣＰＵ２５５と、ＲＯＭ２５１と、ＲＡＭ２５２と、ＧＰＩＯ２５４と、無線ＲＦ部２５３とを含む。
【００３８】
配線２２３と配線２２１とは、シャント抵抗２２２により接続されている。シャント抵抗２２２は電流を測定するために使われる微小な抵抗（例えば、数百マイクロΩ）である。
【００３９】
ソケット２２とプラグ２３とは、配線２２１、２２３、２２４およびシャント抵抗２２２で接続されている。配線２２４は、プラグ２３の一方の端子およびソケット２２の一方の端子に接続されている。配線２２３は、プラグ２３の他方の端子とシャント抵抗２２２の一方の端部とに接続されている。配線２２１は、ソケット２２の他方の端子とシャント抵抗２２２の他方の端部とに接続されている。
【００４０】
電源部２１は、配線２２３に接続されている。電源部２１は、交流を直流に変換する。電源部２１は、変換により得られた直流電力を電力センサ部２４と無線ＲＦ内蔵通信コントローラ部２５とに与える。
【００４１】
電圧入力ＡＤＣ部２４１は、配線２２４と、配線２２３とに接続されている。電圧入力ＡＤＣ部２４１は、配線２２４と配線２２３との間の電圧（電位差）を、デジタル信号にて乗算器２４３に出力する。
【００４２】
電流入力ＡＤＣ部２４２は、配線２２３と、配線２２１とに接続されている。電流入力ＡＤＣ部２４２は、シャント抵抗２２２に流れる電流の電流値を、デジタル信号にて乗算器２４３に出力する。
【００４３】
乗算器２４３は、電圧入力ＡＤＣ部２４１からの出力と、電流入力ＡＤＣ部２４２からの出力とを乗算する。この乗算によって、電力センサ部２４は、ソケット２２に接続される機器の消費電力量を測定する。乗算器２４３は、当該乗算により得られたデジタル信号をデジタル／周波数変換部２４４に出力する。
【００４４】
デジタル／周波数変換部２４４は、入力されたデジタル信号を周波数信号に変換する。デジタル／周波数変換部２４４は、変換により得られた周波数信号を、無線ＲＦ内蔵通信コントローラ部２５のＧＰＩＯ２５４に出力する。
【００４５】
ＣＰＵ２５５は、ＧＰＩＯ２５４から取得した上記周波数信号をデータ変換する。無線ＲＦ部２５３は、ＣＰＵ２５５のデータ変換により得られた信号を、アンテナ２８を用いて中継器１０に送信する。
【００４６】
ＲＯＭ２５１は、ＣＰＵ２５５が実行するプログラム等を格納する。
ＬＥＤ２６は、タップ２０のデータ処理状態を、点滅等によりユーザへ通知する。設定ボタン２７は、ユーザによるタップ２０の初期設定等を受け付けるための操作部材である。
【００４７】
なお、本実施例では、無線ＲＦ内蔵通信コントローラ部２５は、ルータとして機能するものとして説明する。
【００４８】
＜１．４  表示装置３０の構成＞
次に、図４を用いて表示装置３０の構成を説明する。図４は、表示装置３０のハードウェア構成を表した図である。
【００４９】
表示装置３０は、タッチスクリーンを備えたタブレット端末である。表示装置３０は、メモリ３１と、ボタン３２と、通信インターフェイス３３と、スピーカ３４と、時計３５と、タッチスクリーン３６と、ＣＰＵ３７と、を含む。タッチスクリーン３６は、ディスプレイ（モニタ）３８と、タッチパネル３９とで構成される。
【００５０】
メモリ３１は、各種のＲＡＭ、ＲＯＭ、フラッシュメモリ、ハードディスクなどによって構成される。メモリ３１は、ＣＰＵ３７が実行するプログラム（ＯＳなど各種の制御プログラム）と、ＣＰＵ３７が読み出す各種データテーブルとを格納する。たとえば、メモリ３１は、タップ２０に対して設定（再設定）を行なうためのアプリケーションを、フラッシュメモリによって記憶する。なお、当該アプリケーションは、ユーザからのリクエストに応じてタップ２０の設定を行なう。メモリ３１は、後述するタップ接続設定情報１００と、消費電力履歴情報１１０と、電力消費パターン情報１２０を記憶する。
【００５１】
ＣＰＵ３７は、メモリ３１に記憶されている各種のプログラムを実行することによって、測定結果取得部３７２、判定部３７３、表示制御部３７４等の機能を発揮して表示装置３０の動作を制御する。測定結果取得部３７２は、タップ２０が測定する消費電力量の測定結果を、通信インターフェイス３３を介して中継器１０から取得する。判定部３７３は、後述するタップ接続設定情報１００に示される、タップ２０と、タップ２０に接続される機器との対応づけの設定が適正であるか否かを判定する。表示制御部３７４は、ディスプレイ３８の表示内容を制御し、判定部３７３の判定結果をディスプレイ３８に表示する。
【００５２】
ディスプレイ３８は、ＣＰＵ３７の制御に従って駆動し、映像信号に基づいて画像や映像を表示する。例えば、ディスプレイ３８は、家電機器５の消費電力量や、ユーザの操作を受け付ける操作画面等を表示する。タッチパネル３９は、ユーザの指によるタッチ操作を検出して、タッチ座標などをＣＰＵ３７に入力する。ＣＰＵ３７は、タッチパネル３９を介して、ユーザからの命令を受け付ける。
【００５３】
ボタン３２は、表示装置３０の筺体の表面に配置され、ユーザからの操作を受け付ける。ボタン３２は、例えば、方向キー、決定キーなどであり、ユーザの操作に応じて操作信号をＣＰＵ３７に入力する。
【００５４】
通信インターフェイス３３は、ＣＰＵ３７によって制御され、ルータ６０を介して、中継器１０と通信する。通信インターフェイス３３は、上述したように、たとえばＷｉＦｉ規格に従って、ルータ６０と通信する。
【００５５】
スピーカ３４は、ＣＰＵ３７からの命令に基づいて、音声を出力する。たとえば、ＣＰＵ３７は、音声データに基づいて、スピーカ３４に音声を出力させる。時計３５は、ＣＰＵ３７からの命令に基づいて、現在の日付や時刻をＣＰＵ３７に入力する。
【００５６】
ＣＰＵ３７は、メモリ３１に記憶されている各種のプログラムを実行することによって、各種の情報処理などを実行する。
【００５７】
＜２  データ＞
次に、図５〜図７を用いて、本実施形態の表示装置３０が使用するデータについて説明する。表示装置３０のメモリ３１は、タップ接続設定情報１００と、消費電力履歴情報１１０と、電力消費パターン情報１２０とを記憶する。
【００５８】
図５は、タップ接続設定情報１００を示す図である。タップ接続設定情報１００は、タップ２０に接続される機器の設定を示す。タップ接続設定情報１００の１件のレコードは、タップＩＤ１０１と、家電ＩＤ１０２と、家電名１０３と、画像ＩＤ１０４とから構成される。
【００５９】
タップＩＤ１０１は、タップ２０それぞれを識別するための識別情報を示す。家電ＩＤ１０２は、各タップが接続される機器の識別情報の設定を示す。例えば、タップ２０をネットワークＰに参加させる際に、ユーザが手動でタップとタップに接続される機器との対応づけを設定する。家電名１０３は、家電ＩＤ１０２に示される家電機器の名称を示す。画像ＩＤ１０４は、家電ＩＤ１０２に示される家電機器の画像を特定するための識別番号を示す。
【００６０】
図６は、消費電力履歴情報１１０を示す図である。消費電力履歴情報１１０は、各タップに接続される家電機器それぞれについて、各タップが測定した消費電力量の履歴を示している。表示装置３０は、消費電力履歴情報１１０を管理することで、各タップに接続される機器の消費電力量を管理する。
【００６１】
表示装置３０は、ユーザの指示に基づき、その動作モードを非リアルタイム表示モードからリアルタイム表示モードに変更する。リアルタイム表示モードとは、家電機器５の消費電力量を、予め設定された時間間隔（レポート送信間隔）に従って、逐次、表示装置３０のディスプレイに表示するモードである。このリアルタイム表示モードに変更された場合、表示装置３０は、レポート開始指令を中継器１０に送信する。中継器１０は、受信したレポート開始指令を中継し、タップ２０へ送信する。タップ２０は、レポート開始指令を受信すると、レポート送信の条件（例えば、一定の時間間隔ｔ０で機器の消費電力量の測定結果を送信）に従って、タップ２０に接続される機器の消費電力量の測定結果を中継器１０へ送信する。中継器１０は、タップ２０から送られてきたレポートを表示装置３０へ転送する。このようにして、表示装置３０は、各タップに接続される機器の消費電力量を取得し、取得結果を、逐次、ディスプレイ３８へ表示するとともに、各タップの消費電力量の履歴を消費電力履歴情報１１０に格納する。
【００６２】
消費電力履歴情報１１０の１件のレコードは、時間帯１１１と、消費電力量１１２とから構成される。時間帯１１１は、各タップの消費電力量が測定される時点を示す。消費電力量１１２は、各タップの各時間帯における消費電力量を示す。
【００６３】
図７は、電力消費パターン情報１２０を示す図である。電力消費パターン情報１２０は、家電機器の種類ごとに、想定される電力消費パターンを時間帯と対応づけたものである。時間帯１２１は、各家電機器が使用される時間帯を示す。家電機器名１２２は、それぞれの時間帯について、各家電機器が使用される頻度を示す。例えば、家電機器が頻繁に使用される（図７の例では、毎日使用される）時間帯を「Ａ」とする。また、少なくとも一定期間内（図７の例では一週間）に家電機器が使用される時間帯を「Ｂ」とし、一定期間内において使用されない時間帯を「Ｃ」として示す。図７の例では、テレビ、エアコン、照明等について、想定される電力消費パターンを時間帯ごとに示す。例えば、冷蔵庫の電力消費パターンは、全ての時間帯で「Ａ」となっており、毎日、電源をオフにされることなく運転をし続けるものと想定している。
【００６４】
＜３  動作＞
次に、図８〜図１１を用いて表示装置３０の動作を説明する。図８は、表示装置３０のＣＰＵ３７が、タップ接続設定情報１００に示されるタップ２０と家電機器との対応づけの設定が適正か判定する処理を示すフローチャートである。ＣＰＵ３７は、タップ２０に接続される機器の種類をタップ接続設定情報１００に基づいて特定し、機器ごとに定められた消費電力量の閾値と比較する。すなわち、家電機器ごとに消費電力量の閾値を設定して、タップ２０に接続される機器が、この閾値を越える場合は、タップ２０と機器との対応づけの設定が誤りと判定する。さらに、ＣＰＵ３７は、タップ２０に接続される機器を、機器ごとの電力消費のパターンと比較して、電力消費パターンとの一致の度合に応じて、タップ２０と機器との対応づけの設定の適否を判定する。以下、詳細を説明する。
【００６５】
ステップＳ１０１において、ＣＰＵ３７は、メモリ３１からタップ接続設定情報１００を読み出す。
【００６６】
ステップＳ１０３において、ＣＰＵ３７は、タップ接続設定情報１００のタップＩＤ１０１に示される各タップについて、順に家電機器との対応づけの設定の適否を判定するため、判定対象とするタップＩＤを初期化する。
【００６７】
ステップＳ１０５において、ＣＰＵ３７は、判定対象のタップについて、タップに接続される機器の種類を家電ＩＤ１０２から読み出す。ＣＰＵ３７は、消費電力履歴情報１１０を参照し、タップに接続される機器の消費電力量を消費電力量１１２から読み出す。
【００６８】
ステップＳ１０７において、ＣＰＵ３７は、ステップＳ１０５で読み出した機器の種類ごとに定められた消費電力量の閾値と、消費電力量１１２に記憶される消費電力量の履歴に示される最大値とを比較し、この履歴において、消費電力量の最大値が上記の閾値以下であるか判定する。
【００６９】
消費電力量の最大値が上記の閾値以下ではない（閾値を越える）場合（ステップＳ１０７においてＮＯ）、ＣＰＵ３７は、ステップＳ１１９の処理を実行し、タップ接続設定情報１００に示されるタップと家電機器との対応づけの設定が誤りと判定する。消費電力量の最大値が上記の閾値以下である場合（ステップＳ１０７においてＹＥＳ）、ＣＰＵ３７は、ステップＳ１０９の処理を実行する。
【００７０】
ステップＳ１０９において、ＣＰＵ３７は、タップ接続設定情報１００を参照し、判定対象のタップと対応づけられる機器の種類を家電ＩＤ１０２から取得し、取得した機器の電力消費のパターンを、電力消費パターン情報１２０から読み出す。例えば、図５の例において、判定対象のタップのタップＩＤが「１」である場合、ＣＰＵ３７は、タップＩＤ１０１のタップＩＤが「１」に対応する家電の種類を（家電ＩＤ１０２が「２２」で、家電名１０３が「電子レンジ」の機器）、家電ＩＤ１０２を参照して取得する。ＣＰＵ３７は、家電ＩＤが「２２」、家電名が「電子レンジ」の機器の電力消費パターンを、家電機器名１２２から読み出す。
【００７１】
ステップＳ１１１において、ＣＰＵ３７は、消費電力履歴情報１１０と電力消費パターン情報１２０とに基づいて、タップに接続される機器の消費電力量の履歴を、それぞれの時間帯について電力消費のパターンと比較する。ＣＰＵ３７は、この比較を各時間帯について実行した結果、消費電力量の履歴と、電力消費のパターンとの一致割合を算出する。
【００７２】
ステップＳ１１３において、ステップＳ１１１における算出結果（消費電力量の履歴と、電力消費のパターンとの一致割合）が閾値以上（例えば、８０％以上一致する）であるか判定する。ステップＳ１１３において、消費電力量の履歴と、電力消費のパターンとの一致割合が閾値以上である場合（ステップＳ１１３においてＹＥＳ）、ＣＰＵ３７は、ステップＳ１１７の処理を実行する。ステップＳ１１３において、消費電力量の履歴と、電力消費のパターンとの一致割合が所定の閾値以上ではない場合（ステップＳ１１３においてＮＯ）、ＣＰＵ３７は、ステップＳ１１５の処理を実行する。
【００７３】
ステップＳ１１５において、ＣＰＵ３７は、判定対象のタップについて、消費電力履歴情報１１０に十分に消費電力量の履歴が格納されているか（例えば、７日間以上のデータが記録されているか）否かを判定する。ステップＳ１１５において、消費電力履歴情報１１０に十分に消費電力量の履歴が格納されていない場合（ステップＳ１１５においてＮＯ）、ＣＰＵ３７は、ステップＳ１１７の処理を実行する。ステップＳ１１５において、判定対象のタップについて、消費電力履歴情報１１０に十分に消費電力量の履歴が格納されている場合（ステップＳ１１５においてＹＥＳ）、ＣＰＵ３７は、ステップＳ１１９の処理を実行し、判定対象のタップについて、タップ接続設定情報１００に示されるタップと家電機器との対応づけの設定が誤りと判定する。
【００７４】
ステップＳ１１７において、ＣＰＵ３７は、判定対象のタップについて、タップ接続設定情報１００に示されるタップに接続される機器との対応づけの設定が適正であると判定する。
【００７５】
ステップＳ１２１において、ＣＰＵ３７は、判定対象のタップを更新する。
ステップＳ１２３において、ＣＰＵ３７は、ステップＳ１２１における更新結果に基づいて、判定対象のタップの全てについて上記判定処理を実行したか判定する。ステップＳ１２３において、未判定のタップがあれば（ステップＳ１２３においてＮＯ）、ＣＰＵ３７は、ステップＳ１０５の処理を実行する。ステップＳ１２３において、判定対象のタップの全てについて判定処理済みである場合（ステップＳ１２３においてＹＥＳ）、ＣＰＵ３７は、ステップＳ１２５の処理を実行する。
【００７６】
ステップＳ１２５において、ＣＰＵ３７は、タップ接続設定情報１００に示されるタップと家電機器との対応づけの設定が誤りと判定されたタップについて、タップ設定が誤りである可能性をディスプレイ３８に表示することでユーザへ通知する。このステップＳ１２５の表示例を具体的に説明する。
【００７７】
図９は、表示装置３０が、タップと家電機器との対応づけの設定の確認をディスプレイ３８へ表示する表示例を示す図である。図９に示すように、ＣＰＵ３７は、タップと家電機器との対応づけの設定が誤りである可能性と、この対応づけの設定の変更を促すための案内文とをメッセージ表示領域８１に表示する。
【００７８】
選択領域８２は、上記ステップＳ１１９において、タップと家電機器との対応づけの設定が誤りと判定されるタップを表示するための領域である。例えば、タップ接続設定情報１００と消費電力履歴情報１１０とを参照すると、「タップ１」は、電子レンジが対応づけられており、全ての時間帯にわたって電力が消費されている。「タップ２」は、冷蔵庫が対応づけられており、ある時間帯に限って電力が消費されている。一方、電力消費パターン情報１２０を参照すると、冷蔵庫は、全ての時間帯にわたって電力が消費され、電子レンジは、電力が消費される時間帯が限られる。そのため、ＣＰＵ３７は、上記のステップＳ１１９において、「タップ１」および「タップ２」と、家電機器との対応づけの設定が誤りと判定する。ＣＰＵ３７は、選択領域８２Ａにおいて「タップ１」、選択領域８２Ｂにおいて「タップ２」について、家電機器との対応づけの設定が誤りと判定されたことを表示している。
【００７９】
設定変更ボタン８３は、タップと家電機器との対応づけの設定が誤りと判定されたタップについて、設定を変更する操作をユーザから受け付けるための領域である。変更不可ボタン８４は、タップの設定を変更しない操作をユーザから受け付けるための領域である。なお、ＣＰＵ３７は、変更不可ボタン８４によってタップの設定を変更しない操作を受け付けた場合、このタップについて、以降、設定が誤りである可能性を通知しないこととしてもよい。
【００８０】
次に、図１０を用いて、タップと接続される家電機器の候補をユーザに通知することで、ユーザによるタップと家電機器との対応づけの設定を容易にするためのＣＰＵ３７の動作を説明する。図１０は、タップに接続される機器の候補をユーザに通知する処理を示すフローチャートである。ＣＰＵ３７は、機器ごとの電力消費パターンに基づいて、タップに接続される機器の種類を推定し、推定結果をユーザへ通知する。これにより、ユーザは、タップと家電機器とを手動で設定する手間が省ける。また、ユーザは、タップと家電機器との対応づけの設定を誤った場合も、上記のＣＰＵ３７による機器の推定により、設定を容易に変更することができ、ユーザの利便性が高まる。以下、詳細を説明する。
【００８１】
ステップＳ２０１において、ＣＰＵ３７は、図８のステップＳ１１９でタップと家電機器との対応づけの設定が誤りと判定されたタップを抽出する。
【００８２】
ステップＳ２０３において、ＣＰＵ３７は、ステップＳ２０１で抽出した各タップについて順に判定するため、判定対象のタップＩＤを初期化する。
【００８３】
ステップＳ２０５において、ＣＰＵ３７は、消費電力履歴情報１１０を参照し、判定対象のタップに接続される機器の消費電力量の履歴を消費電力１１２から読み出す。
【００８４】
ステップＳ２０７において、ＣＰＵ３７は、電力消費パターン情報１２０をメモリ３１から読み出す。
【００８５】
ステップＳ２０９において、ＣＰＵ３７は、ステップＳ２０５で読み出した消費電力量の履歴と、電力消費パターン情報１２０の各家電機器の電力消費パターンとを比較し、最も一致する家電機器の電力消費パターンを抽出する。例えば、ＣＰＵ３７は、消費電力履歴情報１１０と電力消費パターン情報１２０とに基づいて、各時間帯について、機器の消費電力量の履歴と、各家電機器の電力消費パターンとを比較する。ＣＰＵ３７は、この比較を各時間帯について実行した結果、消費電力量の履歴と、電力消費のパターンとの一致割合を算出し、一致割合が最も大きい家電機器を抽出する。
【００８６】
ステップＳ２１１において、ＣＰＵ３７は、ステップＳ２０９の処理の結果、消費電力量の履歴と、電力消費のパターンとの一致割合が最も大きい家電機器について、この一致割合が閾値以上（例えば、８０％以上一致する）であるか否かを判定する。消費電力量の履歴と、電力消費のパターンとの一致割合が閾値以上である場合（ステップＳ２１１においてＹＥＳ）、ＣＰＵ３７は、ステップＳ２１３の処理を実行し、この電力消費のパターンに対応する家電機器を、タップに接続する家電機器の候補として記憶する。消費電力量の履歴と、電力消費のパターンとの一致割合が閾値以上でない場合（ステップＳ２１１においてＮＯ）、ＣＰＵ３７は、ステップＳ２１５の処理を実行し、タップに接続される機器の候補が不明と記憶する。
【００８７】
ステップＳ２１７において、ＣＰＵ３７は、判定対象のタップを更新する。
ステップＳ２１９において、ＣＰＵ３７は、ステップＳ２１７における更新結果に基づいて、判定対象のタップの全てについて上記判定処理を実行したか判定する。未判定のタップがあれば（ステップＳ２１９においてＮＯ）、ＣＰＵ３７は、ステップＳ２０５の処理を実行する。判定対象のタップの全てについて判定処理済みである場合（ステップＳ２１９においてＹＥＳ）、ＣＰＵ３７は、ステップＳ２２１の処理を実行する。
【００８８】
ステップＳ２２１において、ＣＰＵ３７は、ステップＳ２１３の処理でタップに接続する家電機器の候補が記憶されるタップについて、この候補をタップごとにディスプレイ３８へ表示することでユーザへ通知する。
【００８９】
図１１は、表示装置３０が、タップに接続される機器の候補をユーザに通知するためのディスプレイ３８の表示例を示す図である。図１１に示すように、ＣＰＵ３７は、タップに接続される機器の設定が誤りと判定される場合に、機器の候補を推薦し、ユーザから設定変更の操作を受け付けるための案内文をメッセージ表示領域９１へ表示する。
【００９０】
選択領域９２は、上記ステップＳ２２１の処理によって、タップに接続される機器の候補を表示するための領域である。ＣＰＵ３７は、変更対象表示領域９５において、タップに接続される機器の対応づけの設定が誤りであると判定されるタップを表示する。図１１の例では、ＣＰＵ３７は、変更対象表示領域９５Ａにおいて「タップ１」、変更対象表示領域９５Ｂにおいて「タップ２」を表示している。ＣＰＵ３７は、家電候補表示領域９７において、ステップＳ２１３の処理によってタップに接続される機器の候補として記憶される家電機器を表示する。図１１の例では、ＣＰＵ３７は、家電候補表示領域９７Ａにおいて「タップ１」に接続される機器の候補を表示し、家電候補表示領域９７Ｂにおいて「タップ２」に接続される機器の候補を表示する。ＣＰＵ３７は、チェックボックス９６において、タップと家電機器との対応づけの設定を変更する対象とするか否かをユーザから受け付ける。図１１の例では、ＣＰＵ３７は、チェックボックス９６Ａにおいて、「タップ１」を、設定変更の対象とするか、ユーザからの操作を受け付けており、チェックボックス９６Ｂにおいて、「タップ２」を、設定変更の対象とするか、ユーザからの操作を受け付ける。
【００９１】
＜４  変形例＞
上記の実施形態の説明では、タップ２０は、タップ２０に接続される機器の各時間の消費電力量を測定するものとして説明した。これに限らず、タップ２０は、タップ２０に接続される機器の消費電力を測定することとしてもよい。この場合、表示装置３０は、タップ２０が測定する消費電力の値に基づいて、タップ２０と機器との対応づけが適正か否かを判定する。例えば、表示装置３０は、家電機器ごとに、ピーク時の消費電力の閾値を設定し、タップ２０に接続される機器の消費電力と、この機器に設定されるピーク時の消費電力の閾値とを比較する。表示装置３０は、タップ２０に接続される機器の消費電力が閾値を越える場合は、タップ２０と機器との対応づけの設定が誤りと判定する。さらに、表示装置３０は、タップ２０に接続される機器を、機器ごとの電力消費のパターンと比較して、電力消費パターンとの一致の度合に応じて、タップ２０と機器との対応づけの設定の適否を判定することとしてもよい。
【００９２】
このように、表示装置３０は、タップ２０と機器との対応づけの設定の適否を判定するために、タップ２０に接続される機器の消費電力または消費電力量のいずれに基づいてもよい。
【００９３】
このように各実施形態について説明してきたが、これら実施形態を組み合わせてもよいことはいうまでもない。また、以下のように実施形態を変形してもよい。上記の実施形態の説明では、電力消費パターン情報１２０において、各家電機器の電力消費パターンを、各家電機器について１種類づつ示したが、ユーザの生活パターンに応じて、電力消費パターンを複数格納することとしてもよい。例えば、電力消費パターン情報１２０において、テレビやエアコンなどの電力消費パターンを複数記憶していてもよい。これにより、ユーザの各家電機器の使用傾向に応じて、タップと家電機器との対応づけが適正であるか判定することができる。
【００９４】
また、電力消費パターン情報１２０に示される各家電機器の電力消費パターンを、ユーザが編集可能であるとしてもよい。ユーザが使用実績に応じて電力消費パターンを定義することで、タップに接続される機器の種類を、より高精度に判定することができる。そのため、ユーザが、家電機器を接続するタップをつけかえた場合も、タップと家電機器との対応づけの変更を容易に実施することができる。
【００９５】
以上、本発明者によってなされた発明を実施の形態に基づき具体的に説明したが、本発明は前記実施の形態に限定されるものではなく、その要旨を逸脱しない範囲で種々変更可能であることはいうまでもない。今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００９６】
５  家電機器、１０  中継器、１１  プッシュボタン、１２  スライドスイッチ、１３  発光部、１４  高速通信インターフェイス部、１５  電源部、１６  制御部、１７  無線ＲＦ内蔵通信コントローラ部、１８  アンテナ、２０  タップ、３０  表示装置、３１  メモリ、３２  ボタン、３３  通信インターフェイス、３４  スピーカ、３５  時計、３６  タッチスクリーン、３７  ＣＰＵ、３８  ディスプレイ、３９  タッチパネル、６０  ルータ、７０  パーソナルコンピュータ、８１  メッセージ表示領域、８２  選択領域、８３  設定変更ボタン、８４  変更不可ボタン、９０  コンセント、９１  メッセージ表示領域、９２  選択領域、９５  変更対象表示領域、９６  チェックボックス、９７  家電候補表示領域、１００  タップ接続設定情報、１０１  タップＩＤ、１０２  家電ＩＤ、１０３  家電名、１０４  画像ＩＤ、１１０  消費電力履歴情報、１１１  時間帯、１１２  消費電力量、１２０  電力消費パターン情報、１２１  時間帯、１２２  家電機器名、１７１  ＵＡＲＴ、１７２  ＲＯＭ、１７３  ＲＡＭ、１７４  無線ＲＦ部、１７５  ＧＰＩＯ、１７６  ＣＰＵ。
【図１】
2014055894.tif 000003
【図２】
2014055894.tif 000004
【図３】
2014055894.tif 000005
【図４】
2014055894.tif 000006
【図５】
2014055894.tif 000007
【図６】
2014055894.tif 000008
【図７】
2014055894.tif 000009
【図８】
2014055894.tif 000010
【図９】
2014055894.tif 000011
【図１０】
2014055894.tif 000012
【図１１】
2014055894.tif 000013